(57)【要約】【課題】天井面に近接して配置された場合においても風量の減少を防止できると共に、室内機の壁固定箇所の強度向上を図ることが可能な空気調和機の室内機を提供する。【解決手段】上部に吸込み口、下部に吹出し口が形成され、背面側が部屋の壁に固定されるケーシングと、ケーシング内の吸込み口の下流側に設けられた送風機と、ケーシング内の送風機の下流側であって、吹出し口の上流側に設けられ、ファンから吹出された空気と冷媒とが熱交換する熱交換器と、ケーシングの背面部に設けられ、ケーシングを壁に補強固定する補強固定部材とを備え、送風機は、ケーシングの奥行き方向中心よりも前面側に送風機の回転軸が位置するようにケーシング内に配置され、補強固定部材は、送風機と同じ高さ位置に配置されている。【選択図】図５
2017036885.tif 000002
【特許請求の範囲】
【請求項１】
上部に吸込み口、下部に吹出し口が形成され、背面側が部屋の壁に固定される室内機のケーシングと、
前記ケーシング内の前記吸込み口の下流側に設けられた送風機と、
前記ケーシング内の前記送風機の下流側であって、前記吹出し口の上流側に設けられ、前記送風機から吹出された空気と冷媒とが熱交換する熱交換器と、
前記ケーシングの背面部に設けられ、前記室内機を前記壁に補強固定する補強固定部材とを備え、
前記送風機は、前記ケーシングの奥行き方向中心よりも前面側に前記送風機の回転軸が位置するように前記ケーシング内に配置され、
前記補強固定部材は、前記送風機と同じ高さ位置に配置されている空気調和機の室内機。
【請求項２】
前記補強固定部材は、前記ケーシングの内部で横長に延在して構成されており、前記壁に固定される据付板の複数の係止部に係合される複数の固定部を備えている請求項１記載の空気調和機の室内機。
【請求項３】
前記補強固定部材は、少なくとも前記固定部が、他の部分よりも前記ケーシングの奥行き方向の厚みを増すことで前記ケーシングに一体に形成されるか、または、少なくとも前記固定部が、前記ケーシングに別部材を重ねて固定して形成されている請求項２記載の空気調和機の室内機。
【請求項４】
前記補強固定部材の前記固定部は、前記送風機の前記回転軸の背面側に位置する請求項２または請求項３記載の空気調和機の室内機。
【請求項５】
前記ケーシングの前記吸込み口は、前記ケーシングが前記壁に固定された状態において前面側に向かうに連れて下方に傾斜しており、前記送風機は、前記回転軸が、傾斜した前記吸込み口に対して鉛直または鉛直よりもさらに前面側に傾斜するように前記ケーシング内に配置されている請求項１〜請求項４のいずれか一項に記載の空気調和機の室内機。
【請求項６】
前記熱交換器は、前記ケーシング内の前面側に配置された前面側熱交換器と、背面側に配置された背面側熱交換器とを有し、前記前面側熱交換器と前記背面側熱交換器とが、前記送風機の前記回転軸に対して略対称になるように配置されている請求項１〜請求項５のいずれか一項に記載の空気調和機の室内機。
【請求項７】
前記熱交換器は、前記ケーシング内において前記送風機の前記回転軸よりも前面側に配置された前面側熱交換器の空気通過面積と前記背面側に配置された背面側熱交換器の空気通過面積とが略同一となるように配置されている請求項１〜請求項５のいずれか一項に記載の空気調和機の室内機。
【発明の詳細な説明】
【技術分野】
【０００１】
本発明は、送風機と熱交換器とをケーシング内に収納した空気調和機の室内機に関するものである。
【背景技術】
【０００２】
従来から、送風機と熱交換器とをケーシング内に収納した空気調和機の室内機が存在する。そのようなものとして、「上部に吸込み口が形成され、前面部下側に吹出し口が形成されたケーシングと、ケーシング内の吸込み口の下流側に設けられた軸流型または斜流型の送風機と、ケーシング内の送風機の下流側であって、吹出し口の上流側に設けられ、送風機から吹き出された空気と冷媒とが熱交換する熱交換器」を備えた空気調和機の室内機が提案されている（たとえば特許文献１参照）。また、このような構成の空気調和機の室内機では、熱交換器の実装堆積を増加させるため、前面部を左側とした側面視において、熱交換器を略Λ型、略Ｖ型、略Ｎ型、略Ｗ型、略Ｍ型、略И型等に配置している（たとえば特許文献２参照）。
【先行技術文献】
【特許文献】
【０００３】
【特許文献１】国際公開第２０１０／０８９９２０号
【特許文献２】特許第５５９１３３６号公報
【発明の概要】
【発明が解決しようとする課題】
【０００４】
空気調和機の室内機は通常、使用者の部屋の天井付近に設置されることが多い。特許文献１のような空気調和機の室内機においては、部屋の天井面の下方に送風機の吸込み面が位置することになる。このため、特に室内機を天井に近接して配置した場合、天井面と吸込み面との空間が狭くなって吸込み気流の圧力損失が増大し、送風機の風量が減少するという問題点があった。
【０００５】
また、熱交換器の上流に軸流型または斜流型の送風機を配置する特許文献１のような空気調和機の室内機では、必要能力との関係で送風機の大型化を図る場合、以下のような課題がある。すなわち、室内機の質量が増大し、壁固定箇所の強度が不足する。また、送風機が大きくなることで送風機の設置空間が拡大し、室内機を部屋の壁に固定する壁固定箇所を補強する補強部材の配置スペースの確保が難しくなり、結果的に補強部材の強度不足に繋がる。
【０００６】
本発明は、上記のような問題点を解決するためになされたものであり、天井面に近接して配置された場合においても風量の減少を防止できると共に、室内機の壁固定箇所の強度向上を図ることが可能な空気調和機の室内機を提供することを目的とする。
【課題を解決するための手段】
【０００７】
本発明に係る空気調和機の室内機は、上部に吸込み口、下部に吹出し口が形成され、背面側が部屋の壁に固定されるケーシングと、ケーシング内の吸込み口の下流側に設けられた送風機と、ケーシング内の送風機の下流側であって、吹出し口の上流側に設けられ、送風機から吹出された空気と冷媒とが熱交換する熱交換器と、ケーシングの背面部に設けられ、ケーシングを壁に補強固定する補強固定部材とを備え、送風機は、ケーシングの奥行き方向中心よりも前面側に送風機の回転軸が位置するようにケーシング内に配置され、補強固定部材は、送風機と同じ高さ位置に配置されているものである。
【発明の効果】
【０００８】
本発明によれば、空気調和機の室内機が天井面に近接して配置された場合においても風量の減少を防止できると共に、室内機の壁固定箇所の強度向上を図ることが可能である。
【図面の簡単な説明】
【０００９】
【図１】本発明の実施の形態１に係る空気調和機の室内機１００の一例を示す概略側断面図である。
【図２】本発明の実施の形態１に係る空気調和機の室内機１００の一例を斜め上方から見た概略斜視図である。
【図３】本発明の実施の形態１に係る空気調和機の室内機１００を壁Ｗに取り付けるための取り付け部材１８（据付板）の例を示す正面図である。
【図４】本発明の実施の形態１に係る空気調和機の室内機１００を背面側から見た概略図である。
【図５】本発明の実施の形態１に係る空気調和機の室内機１００の内部の構造を説明する断面図である。
【図６】本発明の実施の形態１に係る空気調和機の室内機１００の補強固定部材の固定部１９の配置位置の変形例を示す図である。
【図７】本発明の実施の形態２に係る空気調和機の室内機１００の一例を示す概略側断面図である。
【図８】本発明の実施の形態３に係る空気調和機の室内機１００の一例を示す概略側断面図である。
【発明を実施するための形態】
【００１０】
以下、図面を参照して、本発明の実施の形態について説明する。なお、各図において同一の符号を付したものは、同一のまたはこれに相当するものであり、これは明細書の全文において共通している。
【００１１】
実施の形態１．
図１は、本発明の実施の形態１に係る空気調和機の室内機１００の一例を示す概略側断面図である。この図１は、図の左側を室内機１００の前面側、図の右側を背面側として示している。この図で上下が鉛直方向であり、背面側に建物の壁があり、壁に室内機１００の背面側が固定される。
【００１２】
室内機１００は、主に、室内空気を内部に吸込むための吸込み口２および空調空気を空調対象域に供給するための吹出し口３が形成されているケーシング１と、このケーシング１に収納され、吸込み口２から室内空気を吸込み、吹出し口３から空調空気を吹き出す軸流型もしくは斜流型の送風機４と、送風機４から吹出し口３までの通風路に配設され、冷媒と室内空気との間で熱交換させることで空調空気を作り出す熱交換器５と、を有している。熱交換器５および送風機４などは、フレーム２１（後述の図５の点線部分。図１では省略）に支持されてケーシング１内に配置されている。そして、これらの構成要素によりケーシング１内に風路が連通されている。吸込み口２はケーシング１の上部に開口形成されている。吹出し口３は、ケーシング１の下部（より詳しくは、ケーシング１の前面部下側）に開口形成されている。さらに吹出し口３には、気流の吹出し方向を制御する機構、たとえばベーン等が設けられている。
【００１３】
送風機４は、吸込み口２の下流側でかつ、熱交換器５の上流側に配設されている。この送風機４は、羽根車６と、この羽根車６の周りに配置されるダクト状のベルマウス７とを備えている。羽根車６は円筒状のボス８とボス８の外周面に所定のピッチで取り付けられた翼９とを備えている。この羽根車６はモータステイ１０に回転自在に配設されており、ボス８に内蔵されたモータ１１により回転駆動される。ベルマウス７は空気入口側の円弧部分と、中間のストレート部分と、空気出口側の円弧部分とで構成されている。空気調和機の室内機１００の寸法には制約があることが多いため、所望の風量を得るために、複数個の送風機４がケーシング１の長手方向（図１の紙面垂直方向）に並列配置される。
【００１４】
熱交換器５は送風機４の下流側に設けられている。この熱交換器５は、たとえば、所定の間隔を介して並設された複数のフィンと、これらフィンを並設方向に貫通する複数の伝熱管と、を備えている。図１に図示した室内機１００の例では、熱交換器５を側面視略Ｗ型に形成しているが、熱交換器５を側面視略Λ型、略Ｖ型、略Ｎ型、略Ｗ型、略Ｍ型、略И型等に配置してもよい。室内機１００の熱交換性能向上のためには熱交換器５の面積、送風機４の径を大きくすることが有効であり、熱交換器５はケーシング１の前面側から背面側にかけて幅広に配置される。
【００１５】
ところで、室内機１００は、天井付近に近接して配置されることが多い。室内機１００の吸込み口２はケーシング１の上部に形成されており、送風機４はケーシング１内において吸込み口２側に配設される。このため、送風機４は、送風機４の吸込み面４ａが部屋の天井面１５に相対して設置されることになる。そして、室内機１００は、ケーシング１の吸込み口２から室内の空気を吸込み、吸込み口２から吹出し口３まで連通した通風路を通過させ、部屋内に供給している。また、送風機４の背面側には、通常、室内機１００を設置する部屋の壁Ｗが存在するため、送風機４の吸込み風量は、回転軸１２に対して前面側よりも背面側で減少する。このため、室内機１００が部屋内の空気を吸込むための領域は、天井面１５と送風機４の吸込み面４ａとの間で、かつ室内機１００の前面側に限定されることになる。
【００１６】
よって、部屋内の空気は、天井面１５とケーシング１との間に形成された吸込み空間Ｓに向かって縮流され、吸込み空間Ｓを通って送風機４の吸込み面４ａに至る。このように、室内機１００内に吸込まれる空気は縮流されるため、圧力損失が発生する。そして、この圧力損失と吸込み風量の不均一に起因して、送風機４の動力の増大、風量の減少、運転騒音の増大が起こりえる。
【００１７】
このため、送風機４のサイズを選択するにあたっては、これらの課題を踏まえた上で、吸込み空間Ｓの大きさに応じた圧力損失および必要能力を考慮して選択されることになる。ここで、選択した送風機４によっては、送風機４を回転駆動させるモータ１１が大型化し、室内機１００の重量が増加して、室内機１００を壁Ｗに固定する壁固定箇所で強度不足が起こりえる。
【００１８】
そこで、本実施の形態１では、ケーシング１内における送風機４の配置位置を工夫して圧力損失の増大防止を図ると共に、送風機４の設置にあたって強度不足が生じない補強構造を採用している。これらの点について以下に説明する。
【００１９】
まず、ケーシング１内における送風機４の配置位置について説明する。すなわち、図１に示すように、送風機４のケーシング１内における前後方向（奥行き方向）の配置位置は、送風機４の回転軸１２が、空気調和機の室内機１００の背面側から前面側までの奥行き方向寸法Ｌの中心１３よりも前面側に位置する位置とする。すなわち、背面側から回転軸１２までの奥行き方向寸法をＬ１、室内機１００の奥行き方向寸法をＬとした場合、Ｌ１＞Ｌ／２となるように、ケーシング１内に送風機４が配置されている。言い換えれば、送風機４の回転軸１２が室内機１００の奥行き方向の中心１３よりも前面側に設けられている。所望の風量を得るために、複数個の送風機４をケーシング１の長手方向（紙面垂直方向）に並列配置した場合においても、複数個の送風機４の各々が、Ｌ１＞Ｌ／２となるようにケーシング１内に配置されている。
【００２０】
このように、送風機４をいわばケーシング１内で前面側に寄せて配置したことで、以下の効果が得られる。すなわち、室内機１００が室内の空気を吸込む際、上述したように天井面１５と送風機４の吸込み面４ａの間で、かつ室内機１００の前面側から空気が吸込まれる。すなわち、室内機１００内に吸込まれる空気は吸込み空間Ｓに向かって縮流され、吸込み空間Ｓを奥行き方向に通った後、送風機４の吸込み面４ａに至る。
【００２１】
吸込み空間外の空気は、吸込み空間Ｓに吸込まれることで縮流されるが、送風機４をケーシング１内で前面側に寄せて配置されているため、縮流しながら吸込み空間Ｓに吸込まれた空気は、吸込み空間外から吸込み空間Ｓに至った後、直ぐに送風機４の吸込み面４ａに至ることになり、圧力損失の増大を防止できる。つまり、送風機４がケーシング１内で仮に背面側に配置されている場合、縮流しながら吸込み空間Ｓに吸込まれた空気が、縮流したまま吸込み空間Ｓを奥行き方向に進んだ後、送風機４の吸込み面４ａに至ることになる。このため、送風機４の吸込み面４ａに至るまでの流路が長くなることで、圧力損失が増大する。しかし、ここでは送風機４をケーシング１内で前面側に寄せて配置し、吸込み空間Ｓ外から送風機４の吸込み面４ａに至るまでの流路を短くしたことで、圧力損失の増大を防止できる。
【００２２】
また、送風機４をケーシング１内で前面側に寄せて配置したことで、背面側に配置する場合に比べて送風機４の背面側との部屋の壁Ｗとの間に空気を吸込むための空間が確保されることになり、送風機４の吸込み風量の不均一が緩和される。その結果、送風機４の動力の低減、風量の増大、運転騒音の減少を図ることができる。
【００２３】
次に、送風機４を大型化した場合でも強度不足が生じない補強構造について説明する。
【００２４】
図２は、本発明の実施の形態１に係る空気調和機の室内機１００の一例を斜め上方から見た概略斜視図である。なお、この図２は主要構造の配置を説明するもので、熱交換器５、送風機４等の構造を単純化して示している。また、送風機４が長手方向（図２の左右方向）に２つあり、吸込み口２が２つある構造を示している。
室内機１００は壁Ｗの水平方向に沿った横長の構造であり、ケーシング１の背面部の内部には室内機１００と同様に横長に延在する補強固定部材２０を有している。さらに具体的には、補強固定部材２０は、送風機４と同じ高さ位置、言い換えれば送風機４の水平方向背面側に位置している。補強固定部材２０は室内機１００を部屋の壁Ｗに取り付ける際に用いられ、水平の支柱の役割をする補強部材である。また、補強固定部材２０は、室内機１００の重量を支えて、その重量を後述の取り付け部材１８のフック１８ａに伝える構造体とも言える。
【００２５】
補強固定部材２０はケーシング１の一部で構成されていてもよく、またケーシング１とは別の別部材で構成されていてもよい。補強固定部材２０がケーシング１の一部で一体で構成される場合は、ケーシング１の他の部分に比べて奥行き方向により厚みのある太い構造とされる。補強固定部材２０は、他にたとえば複数の板構造を重ねる構造としてもよい。また、補強固定部材２０はケーシング１と同様の樹脂材料から形成されていてもよいし、金属材料、または樹脂と金属材料を組み合わせたものであってもよい。補強固定部材２０は、どの材料で構成される場合も、十分な強度を確保できる厚みで構成される。
【００２６】
図３は、本発明の実施の形態１に係る空気調和機の室内機１００を壁Ｗに取り付けるための取り付け部材１８（据付板）の例を示す正面図である。図４は、本発明の実施の形態１に係る空気調和機の室内機１００を背面側から見た概略図である。図５は、本発明の実施の形態１に係る空気調和機の室内機１００の内部の構造を説明する断面図であり、補強固定部材２０とフック１８ａとが係合する位置である図４の点線Ａで切断した断面図である。なお、送風機４の配置位置は、補強固定部材２０とフック１８ａとが係合する部分の真正面側にないため、図５では側面から透過して見える位置を薄く示した。
【００２７】
据付板である取り付け部材１８は金属板で構成され、取り付け部材１８の上端部には、係止部であるフック１８ａが間隔を空けて複数設けられている。フック１８ａは壁Ｗ側から前方斜め上方に突出した構造であり、これに係合する補強固定部材２０の固定部１９は、図５に示すようにフック１８ａに係合可能な鉤状に形成されている。なお、フック１８ａと固定部１９との係合構造はこの構造に限られたものではなく、互いに係合可能な構造であればよい。
【００２８】
そして、取り付け部材１８をアンカーボルト３０などで部屋の壁Ｗに固定し、フック１８ａを補強固定部材２０の固定部１９に係止させることで室内機１００が部屋の壁Ｗに固定される。
【００２９】
なお、壁Ｗに固定した取り付け部材１８に対する室内機１００の係合部分（固定部１９）、言い換えれば室内機１００の壁固定部分を補強するにあたり、固定部１９のみ補強する構造も考えられる。しかし、本実施の形態１では、いわば複数の固定部１９を室内機１００の長手方向に一体とした支柱で補強固定部材２０を構成したので、強度を上げることができる。
【００３０】
また図４および図５において太い点線で示した部分は補強固定部材２０に連なって固定されたフレーム２１を示している。フレーム２１は上述したように熱交換器５および送風機４などを支持するものである。なお、図５は、図４を点線Ａで切断した断面図であるが、フレーム２１は断面Ａにあるものではなく、たとえば熱交換器５を支持する部分は熱交換器５の側板部分に設けられる。なお、熱交換器５は、フレーム２１でなく板の構造体で支持することも可能である。図４および図５に示したフレーム２１の構成は一例であって、図示の構成に限られたものではない。
【００３１】
また、ケーシング１内部には熱交換器５および送風機４などの他に、熱交換器５と熱交換器５に冷媒を流入させる冷媒配管２３とを接続する接続部と、空気調和機の動作をコントロールする制御部２２などが配置されている。そして、これらもまたフレーム２１で支持されており、これらの荷重もフレーム２１などを介して補強固定部材２０に伝えられる。よって、補強固定部材２０は、これらの荷重も踏まえて厚みが設定されている。
【００３２】
本実施の形態１では、室内機１００の壁固定部分である補強固定部材２０を送風機４と同じ高さ位置に配置した点に一つの特徴がある。この位置に室内機１００の補強固定部材２０を配置したことにより以下の効果が得られる。すなわち、送風機４から補強固定部材２０までの距離が、上記位置以外に配置した場合に比べて短くなり、送風機４で発生する振動を抑制する効果がある。
【００３３】
上記において、複数の固定部１９の配置位置に関し、上下方向（送風機４の軸方向）における送風機４との位置関係について特定し、左右方向（ケーシング長手方向）については特定していなかったが、次の配置位置としてもよい。
【００３４】
図６は、本発明の実施の形態１に係る空気調和機の室内機１００の固定部１９の配置位置の変形例を示す図である。
図６に示すように、固定部１９のケーシング長手方向の配置位置を送風機４の回転軸１２の同方向の配置位置に一致させてもよい。言い換えれば、回転軸１２の背面側に固定部１９を配置してもよい。その場合、送風機４の回転軸１２と固定部１９とがさらに接近して、回転軸１２の支持が強化され、送風機４の回転による振動をさらに低減するのに有効である。
【００３５】
補強固定部材２０は、奥行き方向に厚みのある太い構造であり、補強固定部材２０の前面２０ａは図５に示すように熱交換器５の最も背面側の部分５１よりも前面側にある。なお、補強固定部材２０において少なくとも固定部１９が奥行き方向に厚みのある太い構造とされればよいが、強度向上の観点から、紙面奥行き方向（ケーシング１の長手方向）に渡って補強固定部材２０の太い構造が連続するとよい。また補強固定部材２０の奥行き方向の厚みＬ３は、たとえば送風機４の最も背面側（ベルマウス７の外周面７ａ）とケーシング１の壁Ｗ側の面１ａとの間の距離Ｌ２の１／２以上の幅を有するようにすると高い強度が得られるので良い。
【００３６】
本実施の形態１のように、熱交換器５を側方から見た場合に熱交換器５がＷ型の構造では、最も背面側の部分が壁上方背面側に向かって延びるため、熱交換器５の最も背面側の部分から壁Ｗまでの空間が狭くなる。しかし、本実施の形態１では、送風機４を前面側に寄せて配置したことにより、熱交換器５の最も背面側の部分から壁Ｗまでの空間を広く確保することができる。そして、このように広く確保された空間を利用して、十分な厚みで形成して強度を高めた補強固定部材２０を、送風機４と同じ高さ位置に配置することが可能である。また、本実施の形態１の構造は、鉛直方向の高さに比べて前面から背面までの距離（奥行き）が長くなるようにして熱交換能力を高めた熱交換器を備えた室内機１００では特に有効である。
【００３７】
以上のように本実施の形態１によれば、補強固定部材２０の固定部１９を送風機４と同じ高さ位置に配置したため、送風機４で発生する振動を抑制できる。その結果、固定部１９に生じる応力の増大を防止でき、固定部１９の強度を確保できる。また、送風機４をケーシング１内において前面側に寄せて配置したことで風量の増加が見込めるため、室内機１００が天井面１５に近接して配置された場合においても風量の低下を防止できる。また、送風機４をケーシング１内において前面側に寄せて配置したことで、補強固定部材２０の設置スペースを確保でき、厚みを増して十分な強度に構成した補強固定部材２０を配置できる。
【００３８】
また、補強固定部材２０は、複数の固定部１９を備えてケーシング１の内部で横長に延在して構成されているので、複数の固定部１９を個々に形成する場合に比べて強度を高めることができる。
【００３９】
また、補強固定部材２０において固定部１９は、他の部分よりもケーシング１の奥行き方向の厚みを増すことでケーシング１に一体に形成するか、または、少なくとも固定部１９が、ケーシング１に別部材を重ねて固定して形成することができる。
【００４０】
また、固定部１９のケーシング長手方向の配置位置を送風機４の回転軸１２の同方向の配置位置に一致させた場合、一致させない場合に比べて送風機４の回転軸１２と固定部１９とがさらに接近して、回転軸１２の支持が強化され、送風機４の回転による振動をさらに低減するのに有効である。
【００４１】
以上より、本実施の形態１の空気調和機の室内機１００は、天井面１５に近接して配置された場合においても、送風機４の動力の増大、風量の減少、運転騒音の増大を防止することができる。
【００４２】
実施の形態２．
実施の形態１では、室内機１００が奥行き方向に傾斜することなく、いわば水平面上に配置されていた。これに対し、本実施の形態２では、実施の形態１の室内機１００全体が前面側に向かうに連れて下方に傾斜するように配置されたものである。
【００４３】
図７は、本発明の実施の形態２に係る空気調和機の室内機１００の一例を示す概略側断面図である。以下、本実施の形態２が実施の形態１と異なる部分を中心に説明する。
図７に示したように、本実施の形態２の室内機１００は、実施の形態１の室内機１００全体が前面側に向かうに連れて下方に傾斜するように配置されている。
【００４４】
本実施の形態２のように構成された室内機１００においては、室内機１００が前面側に向かうに連れて下方に傾斜することで、傾斜前の配置（実施の形態１の配置）に比べて送風機４の吸込み面４ａが吸込み空間Ｓの前面側に移動する。また、室内機１００が前面側に向かうに連れて下方に傾斜することで、傾斜前の配置（実施の形態１の配置）では送風機４の吸込み面４ａが室内機１００に吸込まれる空気の流れ方向（図７の白抜き矢印方向）に対して平行であったのが、相対する方向に傾斜した状態となる。
【００４５】
そのため、吸込み空間Ｓ外から吸込み空間Ｓ内に縮流しながら吸込まれた空気は吸込み空間Ｓに至った後、送風機４の吸込み面４ａに向けて流れ方向を下向きに大きく変えることなく、直ぐに送風機４の吸込み面４ａから室内機１００の内部に取り込まれることになる。
【００４６】
また、送風機４は、室内機１００の傾斜方向に沿った奥行き方向長さＬの中心１３よりも前面側に配設されている。所望の風量を得るために、複数個の送風機４がケーシング１の長手方向（図７の紙面垂直方向）に並列配置された場合においても、複数個の送風機４の各々が、傾斜方向に沿った室内機１００の奥行き方向長さＬの中心１３よりも前面側に回転軸１２が位置するように配設される。そのため、送風機４の吸込み面４ａと天井面１５の間の距離を、送風機４を奥行き方向長さＬの中心１３よりも背面側に配置した場合に比べて、全体的に大きくすることができ、室内機１００の吸込み空間Ｓを大きくできる。したがって、室内機１００の吸込み空気の圧力損失の増大を実施の形態１に比べてさらに防止することができる。また、送風機４の吸込み風量の不均一を効果的に緩和できるため、送風機４の動力の増大、風量の減少、運転騒音の増大をさらに防止することができる。
【００４７】
なお、ここでは説明を簡単にするため、室内機１００全体が前面側に向かうに連れて下方に傾斜するように配置した、と説明したが、室内機１００全体でなくてもよい。すなわち、ケーシング１が壁Ｗに固定された状態において、ケーシング１の吸込み口２が前面側に向かうに連れて下方に傾斜するように形成されると共に、送風機４の吸込み面４ａが前面側に向かうに連れて下方に傾斜するように配置されればよい。この場合、送風機４は、回転軸１２が、傾斜したケーシング１の吸込み口２の平面に対して鉛直となるようにケーシング１内に配置されることになる。
【００４８】
以上説明したように本実施の形態２によれば、実施の形態１と同様の効果が得られると共に、ケーシング１の吸込み口２および送風機４のそれぞれにおける上述した傾斜配置により、送風機４の動力の増大、風量の減少、運転騒音の増大防止効果をさらに向上できる。
【００４９】
また、ここでは、ケーシング１の傾斜した吸込み口２の平面に対して鉛直方向に送風機４の回転軸１２が設置されているが、送風機４の回転軸１２をケーシング１の吸込み口２の平面に対して、さらに前面側に傾斜して設置してもよい。すなわち、送風機４の吸込み面４ａを、さらに室内機１００の前面側に相対するように設置してもよい。このような構成にすることにより、室内機１００に吸込まれる空気が吸込み空間Ｓに至った後、送風機４の吸込み面４ａに向かって曲げられる際の曲り具合をさらに緩和することができ、吸込み空気の圧力損失をさらに効果的に減少させることができる。
【００５０】
実施の形態３．
本実施の形態３は熱交換器５の配置位置に関するものである。それ以外の構成については実施の形態１、２と同様である。
【００５１】
図８は、本発明の実施の形態３に係る空気調和機の室内機１００の一例を示す概略側断面図である。以下、実施の形態３が実施の形態１、２と異なる部分を中心に説明する。
熱交換器５は、ここでは前面側熱交換器５ａと背面側熱交換器５ｂとを、ケーシング１の前面部を左側とした側面視においてＷ字形状に組み合わせた構成を有している。前面側熱交換器５ａと背面側熱交換器５ｂとのそれぞれは、側面視においてＶ字形状に形成されており、送風機４の回転軸１２に対して略対称になるように配設しても良い。
【００５２】
送風機４の吸込み面４ａに均一に吸込まれた空気は、同様に送風機４の吹出し面４ｂから均一に流出して熱交換器５を通過する。このとき、本実施の形態３のように、前面側熱交換器５ａと背面側熱交換器５ｂとを送風機４の回転軸１２に対して略対称になるように配設することにより、前面側熱交換器５ａと背面側熱交換器５ｂとのそれぞれを通過する風量は略同一になる。すなわち、送風機４の吹出し面４ｂから均一に流出した空気が、熱交換器５の上流側に至るまでの間に、ケーシング１内の前面側と背面側とで不均一になることを防止できる。このため、送風機４の吹出し面４ｂから熱交換器５までの間における圧力損失を低減することができ、送風機４の動力の増大、風量の減少、運転騒音の増大を防止できる。
【００５３】
また、熱交換器５が略Ｎ型、略И型など、前後で略対称形では無い配置形態となっている場合、送風機４の回転軸１２を境とした前面側熱交換器と背面側熱交換器とのそれぞれにおける空気の通過面積が略同一となるように熱交換器を配置すればよい。このように熱交換器５を配置することにより、熱交換器５の圧力損失は前面側熱交換器５ａと背面側熱交換器とで略同一になるため、前面側熱交換器と背面側熱交換器とのそれぞれを通過する風量は略同一となり、送風機４の吹出し面４ｂから熱交換器５の間における圧力損失の増大を防止することができる。
【００５４】
以上説明したように本実施の形態３によれば、実施の形態１、２と同様の効果が得られると共に、熱交換器５を送風機４の回転軸１２に対して略対称になるように配設したことで、以下の効果が得られる。すなわち、送風機４の吹出し面４ｂから熱交換器５までの間における圧力損失を低減することができ、送風機４の動力の増大、風量の減少、運転騒音の増大を防止できる。
【００５５】
また、通常、熱交換器５は均一に風量が通過する際に最も熱交換性能を発揮するように設計されているため、室内機１００の冷暖房能力の減少を防止することができる。
【符号の説明】
【００５６】
１  ケーシング、１ａ  ケーシング１の壁Ｗ側の面、２  吸込み口、３  吹出し口、４  送風機、４ａ  吸込み面、４ｂ  吹出し面、５  熱交換器、５ａ  前面側熱交換器、５ｂ  背面側熱交換器、６  羽根車、７  ベルマウス、７ａ  外周面、８  ボス、９  翼、１０  モータステイ、１１  モータ、１２  回転軸、１３  中心、１５  天井面、１８  取り付け部材、１８ａ  フック、１９  固定部、２０  補強固定部材、２０ａ  前面、２１  フレーム、２２  制御部、２３  冷媒配管、３０  アンカーボルト、５１  熱交換器５の最も背面側の部分、１００  室内機、Ｓ  吸込み空間、Ｗ  壁。
【図１】
2017036885.tif 000003
【図２】
2017036885.tif 000004
【図３】
2017036885.tif 000005
【図４】
2017036885.tif 000006
【図５】
2017036885.tif 000007
【図６】
2017036885.tif 000008
【図７】
2017036885.tif 000009
【図８】
2017036885.tif 000010